(57)【要約】【課題】害虫が効率よく捕獲でき、運転時の消費電力も少ない害虫捕獲器を提供する。【解決手段】光源２に誘引された害虫を、筐体１ａ内の空気とともに筒状ケース７ｂに取り付けられた捕獲袋１０内に吸引する吸引手段４と、捕虫袋を通過した空気流を、吸引手段の送風力により筐体の内面に沿って循環させる空気循環手段１２と、光源及び吸引手段をオン、オフするスイッチ手段８と、筒状ケースの開口部に設けられ、かつ吸引手段がオンのときに開放され、オフのときに閉鎖されるシャッタ手段７とから構成したもので、光源に誘引された害虫を吸引手段により効率よく捕獲することができる上、吸引手段の送風力のみで空気を循環させるため、運転時の消費電力も少なくできる。【選択図】図２
0003136423.tif 000002
【実用新案登録請求の範囲】
【請求項１】
開口部及びその近傍に害虫を誘引する光源が設けられた筐体と、前記筐体の内部に設置された筒状ケースと、前記筒状ケースの一端側に設置され、かつ前記光源に誘引された害虫を前記筐体内の空気とともに前記筒状ケース内に吸引する吸引手段と、前記筒状ケースの他端側に着脱自在に取り付けられ、かつ前記吸引手段より排出された空気中より害虫を捕獲する通気性を有する捕虫袋と、前記捕虫袋を通過した空気流を、前記吸引手段の送風力により前記筐体の内面に沿って循環させる空気循環手段と、前記光源及び吸引手段をオン、オフするスイッチ手段と、前記筒状ケースの一端側開口部に設けられ、かつ前記吸引手段がオンのときに開放され、オフのときに閉鎖されるシャッタ手段とを具備したことを特徴とする害虫捕獲器。
【請求項２】
前記空気循環手段を、前記捕虫袋を通過した空気を前記筐体の後面板に沿って形成された循環路の空気流入口側へガイドする第１及び第２ガイド板と、前記循環路の空気排出口より排出された空気流を前記吸引手段方向へガイドする第３ガイド板と傾斜面及び第４ガイド板とから構成してなる請求項１に記載の害虫捕獲器。
【請求項３】
前記スイッチ手段により前記光源及び前記吸引手段を同時にオン、オフできるようになし、また前記スイッチ手段により前記光源及び前記吸引手段をオンしたときに前記シャッタ手段が開放され、前記光源及び前記吸引手段をオフにしたときに前記シャッタ手段が閉鎖されるように前記光源及び前記吸引手段のオン、オフと前記シャッタ手段の開閉を連動させてなる請求項１または２に記載の害虫捕獲器。
【請求項４】
前記筐体を縦方向または横方向に選択的に設置可能としてなる請求項１ないし３の何れかに記載の害虫捕獲器。
【考案の詳細な説明】
【技術分野】
【０００１】
本考案は光源に害虫を誘引して、吸引手段により効率よく捕獲する害虫捕獲器に関する。
【背景技術】
【０００２】
蝿や蚊、蛾、羽アリ等の害虫は不快害虫として嫌われており、これら害虫が例えば食品加工所や飲食店、工場、量販店、コンビニ等の施設に侵入すると不衛生なばかりか、製品等に混入した場合、返品や不良品の原因となると共に、食品加工所等の場合は、たとえ１個の製品に害虫が混入しても、同じロットで生産した製品の全てを回収する事態が生じ、経済的に大きな損失となる問題がある。
このためこれらの施設では、建屋を密閉して外部から屋内へ害虫が侵入するのを防止する等の対策を講じているが、光に集まる習性のある害虫の場合、建屋を密閉構造にしても、僅かな隙間から光に誘引されて屋内へ侵入することがあり、また建屋へ人が出入りする際、人に付着して屋内へ侵入することがよくある。
また屋内に一旦侵入した害虫は、殺虫剤等を使用して駆除することになるが、食品加工場や飲食店、コンビニ等のように主に食品を扱う施設では、殺虫剤を使用して害虫を駆除することはできない問題がある。
【０００３】
一方光源に害虫を誘引し、ファンのような吸引手段で吸引して捕獲する害虫捕獲器が例えば特許文献１や特許文献２等で提案されている。
前記特許文献１に記載の捕虫機能付照明装置は、建屋の外に設置した外灯や玄関灯、庭園灯等の光源に集まる害虫を回転ファンで捕集袋内へ吸引して、害虫を捕獲するようにしたもので、屋外照明器具としての機能を損なうことなく、光に集まる害虫を捕獲できる等の効果を有している。
【０００４】
また前記特許文献２に記載の吸引式捕虫機は、誘引ランプで誘引した害虫を、吸引装置により吸引して捕虫用金網内にセットした捕虫ネット内に捕獲するようにしたもので、誘引した害虫を吸引装置を介して捕虫ネットに吸引しやすくするため、吸引装置より吐出された空気をコンプレッサにより送風して、強制的に捕虫ネットへ導くよう空気を循環利用する構成となっている。
【特許文献１】特開２００１−１５５５０９号公報
【特許文献２】特開平１１−１２７７５２号公報
【考案の開示】
【考案が解決しようとする課題】
【０００５】
しかし前記特許文献１に記載の捕虫機能付照明器具や、前記特許文献２に記載の吸引式捕虫機では、次のような問題がある。
すなわち前記特許文献１に記載の捕虫機能付照明器具では、回転ファンにより捕集袋内に吸引した害虫が捕集袋内にある程度溜ったら、回転ファンを停止した後ケーシングより捕集袋を取り外して廃棄等の処理を行うが、害虫が捕獲された捕集袋内を通過した空気を排気口よりケーシングの外へ排出する構造となっている。
このため前記特許文献１のように屋外へ設置した照明器具の場合は、捕集袋内を通過した空気を排気口よりケーシングの外へ排出しても問題は少ないが、害虫が捕獲された捕集袋内を通過した空気には害虫に寄生したダニや雑菌が含まれていたり、蛾等の害虫が含まれていると、剥がれ落ちた鱗粉等が空気中に混入していたりするため、主に食品を取り扱う施設には採用できなかったり、アレルギー等の持病がある利用者には敬遠される等の問題がある。
【０００６】
一方前記特許文献２に記載の吸引式捕虫機では、吸引装置より吐出された空気をさらにコンプレッサにより送風して、強制的に捕虫ネットへ循環させるようにしたことから、捕虫ネットを通過した空気がケース外へ排出されることがないため前記引用文献１のような問題は生じないが、吸引装置と別にコンプレッサを設けた複雑な構造のためコスト高となると共に、吸引装置とコンプレッサにそれぞれ動力源を必要とすることから、長時間運転した場合に電気代が嵩むため不経済である等の問題もある。
本考案はかかる問題を改善するためになされたもので、害虫が効率よく捕獲でき、しかも運転時の消費電力も少ない害虫捕獲器を簡単な構成で安価に提供することを目的とするものである。
【課題を解決するための手段】
【０００７】
本考案の害虫捕獲器は、開口部及びその近傍に害虫を誘引する光源が設けられた筐体と、筐体の内部に設置された筒状ケースと、筒状ケースの一端側に設置され、かつ光源に誘引された害虫を筐体内の空気とともに筒状ケース内に吸引する吸引手段と、筒状ケースの他端側に着脱自在に取り付けられ、かつ吸引手段より排出された空気中より害虫を捕獲する通気性を有する捕虫袋と、捕虫袋を通過した空気流を、吸引手段の送風力により筐体の内面に沿って循環させる空気循環手段と、光源及び吸引手段をオン、オフするスイッチ手段と、筒状ケースの一端側開口部に設けられ、かつ吸引手段がオンのときに開放され、オフのときに閉鎖されるシャッタ手段とから構成したものである。
【０００８】
前記構成により、吸引手段により空気とともに吸引された害虫は、筒状ケース内を通って捕虫袋内へと排出されて捕獲されるため、光源に誘引された害虫を効率よく捕獲することができると共に、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができる。
また吸引手段の送風力のみで空気を循環させることができるため、コンプレッサを使用して空気を循環させる従来のものに比べて構造を簡素化でき、これによって害虫捕獲器を安価に提供することができる上、消費電力も少なくできるため、長時間運転した場合でも電気代が嵩むことがなく経済である。
さらに捕獲された害虫を廃棄処理する場合は、光吸引手段をオフにすることにより、いままで開放状態にあったシャッタにより筒状ケースの上面開口が閉鎖されるため、吸引手段が吸引力を失っても吸引手段側へ害虫が逃げ出すのをシャッタにより阻止することができ、これによって捕虫袋内に捕獲した害虫うち生存している害虫がいても、捕虫袋内より逃げ出すのを確実に防止することができる。
【０００９】
本考案の害虫捕獲器は、空気循環手段を、捕虫袋を通過した空気を筐体の後面板に沿って形成された循環路の空気流入口側へガイドする第１及び第２ガイド板と、循環路の空気排出口より排出された空気流を吸引手段方向へガイドする第３ガイド板と傾斜面及び第４ガイド板とから構成したものである。
【００１０】
前記構成により、吸引手段の送風力のみで空気を効率よく循環することができる上、筐体の開口部より空気が排出されることがないため、害虫が光源に誘引されるのを阻害することがない。
【００１１】
本考案の害虫捕獲器は、スイッチ手段により光源及び吸引手段を同時にオン、オフできるようになし、またスイッチ手段により光源及び吸引手段をオンしたときにシャッタ手段が開放され、光源及び吸引手段をオフにしたときにシャッタ手段が閉鎖されるように光源及び吸引手段のオン、オフとシャッタ手段の開閉を連動させたものである。
【００１２】
前記構成により、スイッチ手段のオン、オフ操作のみで光源や吸引手段のオン、オフ及びシャッタの開閉操作が行えるため操作性が大変よいと共に、スイッチ手段をオフにすることによりシャッタが自動的に閉鎖されるため、シャッタを開放したまま捕虫袋を交換する等のミスを未然に防止することができる。
【００１３】
本考案の害虫捕獲器は、筐体を縦方向または横方向に選択的に設置可能としたものである。
【００１４】
前記構成により、本体を取り付ける場所に十分なスペースがない場合でも筐体の設置方向が選択できるため、設置作業が容易に行える。
【考案の効果】
【００１５】
本考案の害虫捕獲器によれば、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができる。
また吸引手段の送風力のみで空気を循環させることができるため、コンプレッサを使用して空気を循環させる従来のものに比べて構造を簡素化でき、これによって害虫捕獲器を安価に提供することができる上、消費電力も少なくできるため、長時間運転した場合でも電気代が嵩むことがなく経済である。
【考案を実施するための最良の形態】
【００１６】
本考案の実施の形態を、図面を参照して詳述する。
図１は害虫捕獲器の正面図、図２は図１のＡ−Ａ線に沿う断面図、図３は図２のＢ−Ｂ線に沿う断面図、図４は一部切欠斜視図、図５は運転時の作用説明図、図６は停止時の一部切欠斜視図、図７は筐体を横方向に取り付けて使用した状態の正面図である。
図１に示す害虫捕獲器の本体１は、縦方向に細長い長方体状の筺体１ａを有しており、筺体１ａの上面は、後部側のほぼ３分の２が平坦面１ｂに、そして前部が順次手前側に低く傾斜する傾斜面１ｃとなっている。
筺体１ａの前面には、上部側に大きな角型の開口部１ｄが開口され、下側にはこれよりやや小さい角型の捕虫袋交換口１ｅが開口されていて、上側の開口部１ｄより見える位置に光源２が設置されており、開口部１ｄには、光源２を破損したり、筐体１ａ内に異物が侵入するのを防止するため、複数本の金属パイプよりなる格子１４が縦方向に着脱自在に設けられている。
【００１７】
光源２は、害虫が好む波長、例えば３００〜４００ｎｍに光波長成分のピークを持つ誘引光を放射する例えば２本の蛍光灯からなり、筐体１ａ内側に設けられた後述する空気循環手段１２の隔壁１２ａの前面に縦方向に取り付けられており、長期間点灯したため誘引効果が低下したり、光源としての寿命に達した場合は、開口部１ｄに設けられた格子１４を外すことにより簡単に交換できるようになっている。
筺体１ａ内のほぼ中間部には、光源２の下方を覆うようにしてホッパ３が形成されている。
ホッパ３は図３に示すように、筺体１ａの両側がわが高く、中央部側が傾く傾斜する傾斜面３ａと、中央部に形成された平坦面３ｂとからなり、平坦面３ｂの中央に吸引手段４のケーシング４ａの内径とほぼ等しい円孔よりなる吸込み口３ｃが開口されており、ホッパ３の各傾斜面３ａの上方には、一対の整流板３ｄがほぼ逆ハ字形に設けられている。
【００１８】
整流板３ｄは、図３に示すように傾斜面３ａより傾斜角度が大きくなっていて、傾斜面３ａの高位置側と整流板３ｄの上端側との間隔が広く、かつ傾斜面３ａの低位置側、すなわち吸入手段４側と整流板３ｄの下端側の間隔が狭くなるように両者間の間隔が設定されており、これによって吸引手段４の吸引開始とともに、筐体１ａの開口部１ｄより吸入された空気の流れを整流して、光源２の下部周辺の空気をほぼ均一に吸引できるようになっている。
【００１９】
吸引手段４は電動ファンより構成されていて、図２及び図３に示すように筒状のケーシング４ａを有しており、このケーシング４ａの上部がホッパ３の平坦面３ｂの下面にビス等の固着具５で固着されている。
ケーシング４ａの上面には、吸込み口３ｃより指などが入らないよう吸込み口３ｃ全面に保護網６が取り付けられており、ケーシング４ａの中心部には、電動モータ４ｂが設置されていて、ケーシング４ａの内周と電動モータ４ｂの外周面との間に、電動モータ４ｂにより回転されるファン４ｃが設けられている。
【００２０】
またケーシング４ａの下端側に、シャッタ手段７が接続されている。
シャッタ手段７は、上端部に支持板７ａが形成された筒状ケース７ｂを有していて、筒状ケース７ｂの支持板７ａがケーシング４ａを平坦面３ｂの下面に固着している固着具５によりケーシング４ａの下面に共締めされており、筒状ケース７ｂ内に円板状のシャッタ７ｃが設けられている。
シャッタ７ｃは、筒状ケース７ｂの内径より僅かに小さい外径を有していて、下面に半径方向に離間するよう一対のブラケット７ｄが突設されており、各ブラケット７ｄには、シャッタ７ｃの中心を通るように回転軸７ｅが水平方向に貫通されている。
回転軸７ｅは、ブラケット７ｄに螺挿された止ねじ７ｆによりシャッタ７ｃに固定されていて、回転軸７ｅとシャッタ７ｃが一体に回動するようになっている。
【００２１】
回転軸７ｅの両端側は、筒状ケース７ｂに穿設された軸孔７ｊに回転自在に支承されており、軸孔７ｊより筒状ケース７ｂの外側へ突出された回転軸７ｅには、筒状の抜け止め７ｇが固着されていて、軸孔より回転軸７ｅが抜け出さないようになってる。
筒状ケース７ｂの内周面には、シャッタ７ｃが回転軸７ｅを中心に水平位置に回動されて、筒状ケース７ｂ内を全閉した状態になったときにシャッタ７ｃに当接して、それ以上シャッタ７ｃが回動するのを阻止するストッパ７ｈが図２に示すように突設されており、筒状ケース７ｂの外側に突出された回転軸７ｅの一方の端部は、筺体１ａの内側面に設置されたスイッチ手段８のスイッチ板８ａ上部に回動自在に支承されている。
【００２２】
スイッチ手段８は、光源２の点滅と、これに連動させて吸引手段４のオン、オフを行うもので、引き紐８ｂを下方へ引っ張ることによりオン、オフ動作するスイッチ８ｃがスイッチ板８ａの下部側に取り付けられている。
スイッチ８ｃには、先端部に摘み８ｄが設けられた引き紐８ｂを引っ張ってスイッチ８ｃをオンにすると下降し、オフにすると上昇する作動片８ｅが上方に向けて突出されていて、この作動片８ｅの先端にワイヤ８ｆの一端が結着されている。
ワイヤ８ｆの他端側は、回転軸７ｅの端部に固着されたプーリ８ｇを迂回された後コイルばねよりなる引張りばね８ｈの一端に結着され、引張りばね８ｈの他端はビス８ｉによりスイッチ板８ａに係止されている。
【００２３】
一方シャッタ手段７の筒状ケース７ｂの下端は、空気循環手段１２を構成する隔壁１２ａの下端付近に達していて、下端側の外周面に環状の係止突条７ｋが突設されており、筒状ケース７ｂの下端側外周に捕虫袋１０の開口部を取り付けた状態で、係止手段１０ａにより開口部を図２中の拡大図で示すように係止突条７ｋに係止することにより、捕虫袋１０の内側から風圧を受けても捕虫袋１０がずり落ちないようになっている。
捕虫袋１０は、吸引手段４が吸い込んだ害虫を捕獲するもので、小さな害虫が通り抜けられないよう目の細かい網体や不織布等の通気性を有する素材により袋状に形成されており、開口部の径は、筒状ケース７ｂの外径よりやや大きくなっていて、筒状ケース７ｂの下端に容易に取り付けられるようになっており、開口部には予めゴム等の係止手段１０ａが設けられ、胴部には、紐状物１０ｂが円周方向に挿通されていて、捕虫袋１０を廃棄処理する際この紐状物１２ｃを締め付けることにより、捕虫袋１０内に捕獲された害虫が捕虫袋１０より漏れ出すのを防止できるようになっている。
【００２４】
空気循環手段１２は、吸引手段４より排出され、かつ捕虫袋１０を通過して筐体１ａの底部に達した空気を筐体１ａの上部へと循環させるもので、光源２が取り付けられた隔壁１２ａを有している。
隔壁１２ａは図３に示すように、筐体１ａの後面板１ｆの前方にこれと平行するように設けられていて、後面板１ｆと隔壁１２ａとの間に、筐体１ａ底部の空気を筐体１ａの上部へ循環させる循環路１２ｂが形成されている。
隔壁１２ａの下端はシャッタ手段７を構成する筒状ケース７ｂの下端とほぼ同じ高さとなっていて、隔壁１２ａの下端部に循環路１２ｂの空気流入口１２ｃが開口されている。
隔壁１２ａの上端は、光源２の上端とほぼ同じ高さとなっていて、隔壁１２ａの上端部と筐体１ａ上面の平坦面１ｂとの間に空気排出口１２ｄが開口されており、筐体１ａの平坦面１ｂと後面板１ｆとの隅角部には、空気排出口１２ｄより排出される空気を傾斜面１ｃ側へガイドする第１ガイド板１２ｅが設けられている。
【００２５】
また筐体１ａに開口された開口部１ｃの上部内側には、第１ガイド板１２ｅにより前方へガイドされた空気を光源２側へ反射して、空気が開口部１ｃより排出されるのを防止する第２ガイド板１２ｆが筐体１ａのほぼ幅一杯に設けられており、筐体１ａの底部には、捕虫袋１０を通過した空気を循環路１２ｂの下方へガイドする第３ガイド板１２ｇと、第３ガイド板１２ｇによりガイドされた空気をさらに循環路１２ｂの空気流入口１２ｃ側へガイドする第４ガイド板１２ｈが設けられている。
【００２６】
さらに筐体１ａの前面に開口された捕虫袋交換口１ｄには、捕虫袋１０を脱着する際開閉する扉１３が設けられている。
扉１３は一端側がヒンジ１３ａにより筐体１ａの前面に枢着されていて、扉１３の他端側に設けられた把手１３ｂを手前へ引くことにより、ヒンジ１３ａを中心に扉１３が開閉できるようになっており、扉１３の開放側と筐体１ａの内側には、扉１３を閉位置にロックするキャッチ１５が設けられている。
【００２７】
次に前記害虫捕獲器の作用を説明すると、害虫捕獲器の設置場所としては、一般家庭の室内や食品加工場や工場、飲食店、コンビニ等、食品や製品に害虫が混入しては困る場所、人に不快感を与えては困る場所等が適しているが、設置する場所に特に制限はなく、屋外やビニールハウス等の施設に設置しても勿論よい。
害虫捕獲器を屋内に設置するに当たっては、天井に設置された照明器具に集まる害虫が効率よく捕獲できるように、本体１の上部に設けた光源２が天井付近となるように筐体１ａを壁面に当接させて、図示しない固着具により本体１を壁面に取り付ける。
【００２８】
本体１の取付が完了したら、筐体１ａ前面の扉１３を開放して、予め用意した捕虫袋１０の開口部を筒状ケース７ｂの下端側外周に嵌装し、開口部をゴム等の係止手段１０ａで筒状ケース７ｂの外周面に突設された係止突条７ｋに係止することにより、風圧が捕虫袋１０の内側から下方向へ作用しても捕虫袋１０がずれ落ちるのを防止することができる。
【００２９】
捕虫袋の取付が完了したら、扉１３を開放した状態でスイッチ手段８の引き紐８ｂを下方へ引くと、スイッチ８ｃがオンとなって光源２が点灯されると同時に吸引手段４の電動モータ４ｂが回転を開始する。
また引き紐８ｂを下方に引くことによってスイッチ８ｃの作動片８ｅが下降されるため、作動片８ｅに結着されたワイヤ８ｆが下方へ引かれて、ワイヤ８ｆの捲装されたプーリ８ｇが回転し、これによって回転軸７ｅが回動されるため、いままで閉鎖状態にあったシャッタ７ｃが図４に示すようにほぼ９０度回動されて、筒状ケース７ｂの上面開口を開放するので、この状態で扉１３を閉鎖して使用に供する。
【００３０】
一方電動モータ４ｂによりファン４ｃが回転されることにより筐体１ａ内には、空気循環手段１２により吸引手段４の送風力のみで図５に示すような空気の循環流が形成される。
すなわち、吸引手段４より排出された筐体１ａ内の空気は、捕虫袋１０を通過した後筐体１ａ底部に設けられた第３ガイド板１２ｇの傾斜面により矢印（イ）方向へガイドされ、第４ガイド板１２ｈに当って第４ガイド板１２ｈにより循環路１２ａの空気流入口１２ｃ方向（矢印ロ方向）ガイドされる。
その後矢印（ハ）に示すように循環路１２ｃ内を通って筐体1aの上部に達し、空気排出口１２ｄより排出される際に第１ガイド板１２ｅにより矢印（ニ）方向へガイドされて、筐体１ａ上面に形成された傾斜面１ｃの内面に達する。
【００３１】
筐体１ａ上面の傾斜面１ｃは予め前下がりに傾斜されている上、筐体１ａの前面に開口された開口部１ｄの上部内側には第２ガイド板１２ｆが設けられているため、筐体１ａの上部に達した空気は傾斜面１ｃと第２ガイド板１２ｆのガイド作用により、光源２と開口部１ｄの間を下方向へ向かう矢印（ホ）方向の流れに変換される。
これによって吸引手段４の運転中は、矢印（イ）、矢印（ロ）、矢印（ハ）、矢印（ニ）、矢印（ホ）方向の空気の循環流が筐体の１ａの内面に沿って常時発生する。
【００３２】
また害虫が好む波長の誘引光を発生する蛍光灯を使用した光源２が点灯されることにより、屋内に設置された照明器具に誘引されて屋内へ侵入した害虫が光源２へと誘引されて、開口部１ｄより光源２付近に達すると、光源２と開口部１ｄの間を下方向へ向かう矢印（ホ）方向の空気流によって吸引手段４に吸引される。
吸引手段４に吸引される空気流は、筐体１ａの上部に設けられた傾斜面３ａと、その上方に設けられた整流板３ｃの整流作用によりさらに増速されて吸引手段４へと吸入されるため、光源２の下部周辺の空気がほぼ均一に吸引手段４に吸引されるようになる。
【００３３】
そして吸引手段４により空気とともに吸引された害虫は、筒状ケース７ｂ内を通って捕虫袋１０内へと排出され、網体や不織布等により形成された捕虫袋１０に害虫のみが捕獲されると共に、捕虫袋１０を通過した空気は、筐体１ａ底部に設けられた第３ガイド板１２ｇの傾斜により矢印（イ）方向へガイドされ、第４ガイド板１２ｈに当って第４ガイド板１２ｈにより循環路１２ｂの空気流入口１２ｃ方向（矢印ロ方向）ガイドされる。
その後矢印（ハ）に示すように循環路１２ｃ内を通って筐体1aの上部に達する循環動作を繰り返すことにより、光源２に誘引された害虫を効率よく捕獲するもので、捕集袋１０内を通過した空気中に害虫に寄生したダニや雑菌が含まれていたり、蛾等の害虫から剥がれ落ちた鱗粉等が混入していても、捕虫袋１０内を通過した空気が筐体１ａ外へ排出されることがないため、主に食品を取り扱う施設に採用することができる上、アレルギー等の持病がある利用者であっても安心して使用することができる。
【００３４】
一方捕虫袋１０に捕獲された害虫を廃棄処理する場合は、スイッチ手段８の引き紐８ｂを下方へ引いてスイッチ８ｃをオフにすると、光源２及び吸引手段４がオフになると同時に、スイッチ８ｃの作動片８ｅが上昇することにより引張りばね８ｈによりワイヤ８ｆが引き戻されるため、ワイヤ８ｆが捲装されたプーリ８ｇにより回転軸７ｅが回動されて、いままで開放状態にあったシャッタ７ｃがストッパ７ｈに当接するほぼ水平位置へ回動される。
これによって図６に示すように、筒状ケース７ｂの上面開口がシャッタ７ｃにより閉鎖されるため、捕虫袋１０に捕獲された害虫の一部が生存していても、オフによって吸引を停止した吸引手段４側へ害虫が逃げ出すのをシャッタ７ｂが阻止するため、捕虫袋１０内に捕獲した害虫うち生存している害虫が捕虫袋１０より逃げ出すのを確実に防止することができる。
【００３５】
光源１０が消灯し吸引手段４が停止したら、筐体１ａ前面の扉１３を開放した後捕虫袋１０の開口部を手で絞りながら筒状ケース７ｂより捕虫袋１０を取り外した後、捕虫袋１０を振って害虫を捕獲袋１０の底部側に寄せ、この状態で捕虫袋１０の胴部に挿通された紐状物１０ｂを締め付けることにより、捕虫袋１０の胴部を閉じた状態で廃棄することができるため、捕獲した害虫を逃がすことなく捕虫袋１０ごと廃棄処理することができる。
【００３６】
以上は害虫捕獲器の筐体１ａを縦方向に壁面に取り付けて使用した場合であるが、図７に示すように筐体１ａを横方向に壁面に取り付けて使用するようにしてもよい。
筐体１ａを横方向に取り付けた場合も害虫捕獲時の作用は、筐体１ａを縦方向に取り付けた場合と同様なのでその説明は省略するが、本体１を取り付ける場所に十分なスペースがない場合に設置方向が選択できるため、設置作業が容易に行える。
【図面の簡単な説明】
【００３７】
【図１】本考案の実施の形態になる害虫捕獲器の正面図である。
【図２】図１のＡ−Ａ線に沿う断面図である。
【図３】図２のＢ−Ｂ線に沿う断面図である。
【図４】本考案の実施の形態になる害虫捕獲器の一部切欠斜視図である。
【図５】本考案の実施の形態になる害虫捕獲器の運転時の作用説明図である。
【図６】本考案の実施の形態になる害虫捕獲器の停止時の一部切欠斜視図である。
【図７】本考案の実施の形態になる害虫捕獲器を横方向に取り付けて使用した状態の正面図である。
【符号の説明】
【００３８】
１    本体
１ａ    筐体
１ｃ    傾斜面
１ｄ    開口部
１ｆ    後面板
２    光源
４    吸引手段
７    シャッタ手段
７ｂ    筒状ケース
７ｃ    シャッタ
８    スイッチ手段
１０    捕虫袋
１２    空気循環手段
１２ｂ    循環路
１２ｃ    空気流入口
１２ｄ    空気排出口
１２ｅ    第１ガイド板
１２ｆ    第２ガイド板
１２ｇ    第３ガイド板
１２ｈ    第４ガイド板
【図１】
0003136423.tif 000003
【図２】
0003136423.tif 000004
【図３】
0003136423.tif 000005
【図４】
0003136423.tif 000006
【図５】
0003136423.tif 000007
【図６】
0003136423.tif 000008
【図７】
0003136423.tif 000009